(57)【要約】【課題】音声付きの動画撮影に際して、撮影環境に適した音声録音をすることが可能となるカメラ装置、及び音声付き動画撮影方法を提供する。【解決手段】予め複数の動画用の録画シーン（ａ）〜（ｃ）に対応した複数の録音設定情報（ビットレート目標値、サンプリングレート、デジタルフィルタ設定値、ステレオ効果設定値、追従時間設定値、最大増幅度設定値）を記録しておく。音声付きの動画撮影に際してユーザーに所望するいずれかの録画シーン（ａ）〜（ｃ）を指定させ、指定された録画シーンに対応する録音設定情報に基づき、撮影時の録音を制御する。【選択図】      図２
2006217111.tif 000002
【特許請求の範囲】
【請求項１】
音声付きの動画像を撮影し記録する動画撮影装置において、
前記動画像の撮影時における音声の記録に関係した処理内容を示す録音設定情報であって、使用者により適宜使用が指定される所定の撮影モードに対応した録音設定情報を記憶する録音設定記憶手段と、
使用者によって前記所定の撮影モードの使用が指定された前記動画像の撮影における音声の記録に関係した処理内容を、前記録音設定記憶手段に記憶されている録音設定情報に基づき設定する設定手段と
を備えたことを特徴とする動画撮影装置。
【請求項２】
前記動画像の撮影時における画像の記録に関係した処理内容を示す録画設定情報であって、複数の前記撮影モードに対応する複数の録画設定情報が記憶された録画設定記憶手段と、
使用者に前記複数の前記撮影モードのいずれかを選択させる制御手段とをさらに備え、
前記録音設定記憶手段に、複数の前記撮影モードに対応した複数の前記録音設定情報が記録され、
前記設定手段は、前記制御手段が使用者に選択させた前記撮影モードによる前記動画像の撮影に際し、画像の記録に関係した処理内容を、前記録画設定記憶手段に記憶されている当該撮影モードに対応する録画設定情報に基づき設定するとともに、音声の記録に関係した処理内容を、前記録音設定記憶手段に記憶されている当該撮影モードに対応する録音設定情報に基づき設定する
ことを特徴とする請求項１記載の動画撮影装置。
【請求項３】
各々が特定の動画撮影対象を表わすとともに、複数の前記撮影モードにそれぞれ対応する複数のシーン情報が記憶されたシーン情報記憶手段を備え、
前記制御手段は、前記シーン情報記憶手段に記憶されている複数のシーン情報を選択可能に画面表示させ、画面表示させたシーン情報を介して使用者に前記複数の前記撮影モードのいずれかを選択させることを特徴とする請求項１又は２記載の動画撮影装置。
【請求項４】
前記録音設定情報には、音声の記録に関係した処理内容として、入力音声に対する最終的な増幅度合による増幅を完了するまでの追従時間が含まれることを特徴とする請求項１，２又は３記載の動画撮影装置。
【請求項５】
前記録音設定情報には、入力音声に含まれる風切り音の除去を目的とするフィルタの使用の有無が含まれることを特徴とする請求項１乃至４のいずれか１項記載の動画撮影装置。
【請求項６】
被写体を撮像する撮像手段と、
この撮像手段により撮像された被写体画像に含まれる１又は複数の所定の画像情報が所定の判別条件に合致するか否かに基づき、前記動画像の撮影時における撮影環境を判定する判定手段と、
所定の撮影モードにおいて、前記判定手段による判定結果に対応する内容の音声の記録に関係した録音処理を実行する録音制御手段と
をさらに備えたことを特徴とする請求項１乃至５のいずれか１項に記載の動画撮影装置。
【請求項７】
音声付きの動画像を撮影し記録する動画撮影方法において、
前記動画像の撮影時における音声の記録に関係した処理内容を示すとともに所定の撮影モードに対応する録音設定情報を事前に記憶しておき、
前記所定の撮影モードによる前記動画像の撮影時における音声の記録に関係した処理内容を、前記録音設定記憶手段に記憶されている録音設定情報に基づき設定する
ことを特徴とする動画撮影方法。
【請求項８】
音声付きの動画像を撮影し記録する動画撮影装置が有するコンピュータを、
使用者によって所定の撮影モードの使用が指定された前記動画像の撮影時における音声の記録に関係した処理内容を、予め記憶されている前記所定の撮影モードに対応した録音設定情報に基づき設定する設定手段と
して機能させるためのプログラム。
【請求項９】
音声付きの動画像の撮影機能を有する動画撮影装置において、
被写体を撮像する撮像手段と、
この撮像手段により撮像された被写体画像に含まれる１又は複数の画像情報を用いた所定の判定基準に基づき撮影環境を判定する判定手段と、
この判定手段による判定結果に対応する予め決められている内容の音声の記録に関係した録音処理を実行する録音制御手段と
を備えたことを特徴とする動画撮影装置。
【請求項１０】
前記判定結果に対応する予め決められている内容の音声の記録に関係した録音処理は、入力音声に含まれる風切り音の除去を目的とするフィルタの使用の有無であることを特徴とする請求項９記載の動画撮影装置。
【請求項１１】
音声付きの動画像を撮影し記録する動画撮影方法において、
前記動画像の撮影時に被写体を撮像する工程と、
撮像した被写体画像に含まれる１又は複数の画像情報を用いた所定の判定基準に基づき撮影環境を判定する工程と、
判定した撮影環境に対応して予め決められている内容の音声の記録に関係した録音処理を前記動画像の撮影中に実施する工程と
を含むことを特徴とする動画撮影方法。
【請求項１２】
音声付きの動画像を撮影し記録する動画撮影装置が有するコンピュータを、
撮像手段により撮像された被写体画像に含まれる１又は複数の画像情報を用いた所定の判定基準に基づき撮影環境を判定する判定手段と、
この判定手段による判定結果に対応する予め決められている内容の音声の記録に関係した録音処理を実行する録音制御手段と
して機能させるためのプログラム。
【発明の詳細な説明】
【技術分野】
【０００１】
本発明は、音声付き動画撮影機能を備えたデジタルカメラに用いて好適な動画撮影装置、及び動画撮影方法に関するものである。
【背景技術】
【０００２】
従来、デジタルカメラにおいては、互いに異なる撮影条件に基づく撮影結果を例示する見本画像を予め多数用意しておき、撮影者に、これから撮影しようとする被写体と同様の撮影シーン、或いは好みに応じた雰囲気の撮影シーンを見本画像を介して選択させ、撮影時には、選択された撮影シーンに対応するシャッタースピードや絞り値、色バランス等の撮影条件を自動的に設定した多様な撮影モードでの撮影動作を行う機能（以下、ベストショット撮影機能と言う。）を備えたものが下記の特許文献１において公知であり、また実用化されている。 
【特許文献１】特開２００２−１０１３３号公報
【発明の開示】
【発明が解決しようとする課題】
【０００３】
一方、近年のデジタルカメラには動画撮影機能を備えたものが多く、係るデジタルカメラにおいは、静止画撮影のみならず動画撮影用のベストショット機能を備えていることが好ましい。しかしながら、動画には通常音声の録音も付随して行われるのが一般的であり、その場合には、静止画像用のベストショット機能のように画像の設定のみをシーン選択で行うだけでは、音声付きの動画撮影を行う場合には、映像にふさわしい音声を録音することができないという問題があった。
【０００４】
本発明は、かかる従来の課題に鑑みてなされたものであり、音声付きの動画撮影に際して、撮影環境に適した音声録音をすることが可能となるカメラ装置、及び音声付き動画撮影方法を提供することを目的とする。
【課題を解決するための手段】
【０００５】
前記課題を解決するため請求項１の発明にあっては、音声付きの動画像を撮影し記録する動画撮影装置において、前記動画像の撮影時における音声の記録処理に関係した処理内容を示す録音設定情報であって、使用者により適宜使用が指定される所定の撮影モードに対応した録音設定情報を記憶する録音設定記憶手段と、使用者によって前記所定の撮影モードの使用が指定された前記動画像の撮影における音声の記録に関係した処理内容を、前記録音設定記憶手段に記憶されている録音設定情報に基づき設定する設定手段とを備えたものとした。
【０００６】
かかる構成においては、使用者によって、所定の撮影モードの使用が指定された動画像の撮影に際しては、予め当該撮影モードに対応して記憶されている録音設定情報に基づき音声の記録に関係した処理が行われる。
【０００７】
また、請求項２の発明にあっては、前記動画像の撮影時における画像の記録に関係した処理内容を示す録画設定情報であって、複数の前記撮影モードに対応する複数の録画設定情報が記憶された録画設定記憶手段と、使用者に前記複数の前記撮影モードのいずれかを選択させる制御手段とをさらに備え、前記録音設定記憶手段に、複数の前記撮影モードに対応した複数の前記録音設定情報が記録され、前記設定手段は、前記制御手段が使用者に選択させた前記撮影モードによる前記動画像の撮影に際し、画像の記録に関係した処理内容を、前記録画設定記憶手段に記憶されている当該撮影モードに対応する録画設定情報に基づき設定するとともに、音声の記録に関係した処理内容を、前記録音設定記憶手段に記憶されている当該撮影モードに対応する録音設定情報に基づき設定するものとした。
【０００８】
また、請求項３の発明にあっては、各々が特定の動画撮影対象を表わすとともに、複数の前記撮影モードにそれぞれ対応する複数のシーン情報が記憶されたシーン情報記憶手段を備え、前記制御手段は、前記シーン情報記憶手段に記憶されている複数のシーン情報を選択可能に画面表示させ、画面表示させたシーン情報を介して使用者に前記複数の前記撮影モードのいずれかを選択させるものとした。
【０００９】
また、請求項４の発明にあっては、前記録音設定情報には、音声の記録に関係した処理内容として、入力音声に対する最終的な増幅度合による増幅を完了するまでの追従時間が含まれるものとした。
【００１０】
また、請求項５の発明にあっては、前記録音設定情報には、入力音声に含まれる風切り音の除去を目的とするフィルタの使用の有無が含まれるものとした。
【００１１】
また、請求項６の発明にあっては、被写体を撮像する撮像手段と、この撮像手段により撮像された被写体画像に含まれる１又は複数所定の画像情報が所定の判別条件に合致するか否かに基づき、前記動画像の撮影時における撮影環境を判定する判定手段と、所定の撮影モードにおいて、前記判定手段による判定結果に対応する内容の音声の記録に関係した録音処理を実行する録音制御手段とをさらに備えたものとした。
【００１２】
また、請求項７の発明にあっては、音声付きの動画像を撮影し記録する動画撮影方法において、前記動画像の撮影時における音声の記録に関係した処理内容を示すとともに所定の撮影環境での使用が想定された所定の撮影モードに対応する録音設定情報を事前に記憶しておき、前記所定の撮影モードによる前記動画像の撮影時における音声の記録に関係した処理内容を、前記録音設定記憶手段に記憶されている録音設定情報に基づき設定する方法とした。
【００１３】
また、請求項８の発明にあっては、音声付きの動画像を撮影し記録する動画撮影装置が有するコンピュータを、使用者によって所定の撮影環境での使用が想定された所定の撮影モードの使用が指定された前記動画像の撮影時における音声の記録に関係した処理内容を、予め記憶されている前記所定の撮影モードに対応した録音設定情報に基づき設定する設定手段として機能させるためのプログラムとした。
【００１４】
また、請求項９の発明にあっては、音声付きの動画像の撮影機能を有する動画撮影装置において、被写体を撮像する撮像手段と、この撮像手段により撮像された被写体画像に含まれる１又は複数の画像情報を用いた所定の判定基準に基づき撮影環境を判定する判定手段と、この判定手段による判定結果に対応する予め決められている内容の音声の記録に関係した録音処理を実行する録音制御手段とを備えたものとした。
【００１５】
かかる構成においては、被写体の画像情報に基づいて動画像の撮影時における撮影環境が自動的に判別され、判別された撮影環境に対応する予め決められている内容の音声の記録に関係した録音処理が撮影時に行われる。
【００１６】
また、請求項１０の発明にあっては、前記判定結果に対応する予め決められている内容の音声の記録に関係した録音処理は、入力音声に含まれる風切り音の除去を目的とするフィルタの使用の有無であるものとした、
【００１７】
また、請求項１１の発明にあっては、音声付きの動画像を撮影し記録する動画撮影方法において、前記動画像の撮影時に被写体を撮像する工程と、撮像した被写体画像に含まれる１又は複数の画像情報を用いた所定の判定基準に基づき撮影環境を判定する工程と、判定した撮影環境に対応して予め決められている内容の音声の記録に関係した録音処理を前記動画像の撮影中に実施する工程とを含む動画撮影方法とした。
【００１８】
また、請求項１２の発明にあっては、音声付きの動画像を撮影し記録する動画撮影装置が有するコンピュータを、撮像手段により撮像された被写体画像に含まれる１又は複数の画像情報を用いた所定の判定基準に基づき撮影環境を判定する判定手段と、この判定手段による判定結果に対応する予め決められている内容の音声の記録に関係した録音処理を実行する録音制御手段として機能させるためのプログラムとした。
【発明の効果】
【００１９】
本発明においては、使用者によって所定の撮影モードの使用が指定された動画像の撮影に際しては、予め当該撮影モードに対応して記憶されている録音設定情報に基づき音声の記録に関係した処理が行われるようにした。よって、所定の撮影モードによる音声付きの動画撮影に際しては、撮影環境に適した音声録音をすることが可能となる。
【００２０】
また、他の発明においては、被写体の画像情報に基づいて動画像の撮影時における撮影環境が自動的に判別され、判別された撮影環境に対応する予め決められている内容の音声の記録に関係した録音処理が撮影時に行われるようにした。よって、被写体の画像情報に基づいて判別可能な撮影環境下における音声付きの動画撮影に際しては、撮影環境に適した音声録音をすることが可能となる。
【発明を実施するための最良の形態】
【００２１】
以下、本発明の実施の形態を図にしたがって説明する。図１は、本実施の形態におけるデジタルカメラを示すブロック図である。このデジタルカメラは、静止画像、及び動画像の撮影が可能であるとともに、ズーム機能、自動露出（ＡＥ）、オートフォーカス（ＡＦ）、オートホワイトバランス（ＡＷＢ）といった一般的な機能に加え、動画撮影用のベストショット機能を備えたものであって、以下の構成を有している。
【００２２】
すなわちデジタルカメラには、レンズブロック１と、ドライバーブロック８、レンズコントロールブロック１３、ＣＣＤ撮像系ブロック１５、音声入力ブロック２１がそれぞれ設けられている。
【００２３】
レンズブロック１は、主としてズームレンズやフォーカスレンズからなるレンズ群２と、レンズ群２におけるズーム位置及びフォーカス位置を検出するためのズーム用及びフォーカス用の位置検出センサ３ａ，３ｂ、ズームモータ４及びフォーカスモータ５、図示しない絞りを開閉駆動する絞り用アクチュエータ６、及びメカニカルシャッターを駆動するシャッター用アクチュエータ７から構成されている。ドライバーブロック８は、上記の各モータ４，５及び各アクチュエータ６，７をそれぞれ駆動するためのズーム用（ＺＯＯＭ）、フォーカス用（Ｆｏｃｕｓ）、絞り用（Ｉｒｉｓ）、シャッター用（Ｓｈｕｔｔｅｒ）の各ドライバー９〜１２から構成されている。
【００２４】
レンズコントロールブロック１３は、前記位置検出センサ３ａ，３ｂの位置検出信号を制御部１４へ送るとともに、制御部１４から送られる制御信号に従い前記ドライバーブロック８の各ドライバー９〜１２に対する駆動信号を出力する。
【００２５】
ＣＣＤ撮像系ブロック１５は、撮像手段であるＣＣＤ１６と、ＣＤＳ（Correlated Double Sampling）／ＡＤブロック１７、タイミングジェネレータ（ＴＧ：Timing Generator）１８とから構成されている。そして、前記レンズ群２を介してＣＣＤ１６により撮像された被写体像は、ＣＤＳ／ＡＤブロック１７でデジタル信号に変換された後、カラープロセス部１９を経て、ＪＰＥＧ／ＭＰＥＧ部２０にて画像圧縮が行われる。
【００２６】
音声入力ブロック２１は、ＭＩＣ２７から入力された音声の増幅、及びデジタル信号の変換を行うための入力アンプ２２及びＡＤＣ２３と、音声信号にデジタルフィルター処理を施すフィルター部２４、デジタルの音声信号のアナログ信号への変換、及び増幅を行いスピーカ２８へ出力するためのＤＡＣ２５及び出力アンプ２６から構成されている。音声付きの動画撮影（以下、録画という。）に際して、ＭＩＣ２７に入力した音声は、音声入力ブロック２１においてデジタル信号化されデジタルフィルター処理を施されて制御部１４へ送られる。なお、図示しないが音声入力ブロック２１の各部と、ＭＩＣ２７及びスピーカ２８はステレオ音声の記録、再生に対応した構成となっている。
【００２７】
制御部１４はデジタルカメラの各部を制御する部分であり、制御部１４には、プログラムメモリ３１や内蔵メモリ３２、さらに音声コーデック用レジスタ３３が内蔵されている。制御部１４は、上記制御に加え音声入力ブロック２１に入出力する音声信号の圧縮、伸張等の各種処理を行う。すなわち録画時においては、音声入力ブロック２１から送られた音声信号を処理するとともに圧縮した後、それをＪＰＥＧ／ＭＰＥＧ部２０にて圧縮された動画データ（一連の画像データ）と重畳して、画像記録部３５に動画ファイルとして記録させる。なお、音声コーデック用レジスタ３３には、制御部１４が音声信号の記録処理に際して使用される各種の音声録音制御用の設定パラメータ、例えばビットレート（圧縮率）、サンプリングレート、デジタルフィルタ、ステレオ効果、追従時間、最大増幅度等が記録される。
【００２８】
画像記録部３５は、カードインターフェースと、それを介して制御部１４に接続される、カメラ本体に着脱自在に装着される不揮発性の各種メモリカードから構成される。
【００２９】
画像表示部３６はビデオエンコーダー、ＶＲＡＭ、液晶モニタ及びその駆動回路等からなり、静止画撮影モードでの撮影待機状態や、録画モードの撮影待機状態及び録画中における被写体のスルー画像や、画像記録部３５に記録されている静止画像や動画像を表示する。Ｋｅｙブロック３７は電源キー、記録／再生のモード切替スイッチ、シャッターキー、ズームキー、メニューキー等の各種キーにより構成され、ユーザーによるキー操作に応じた操作信号を制御部１４へ送る。ワークメモリ３８は、画像データや音声データの圧縮、伸張等の各種のデータ処理に際して使用される揮発性の作業用のメモリである。
【００３０】
前記プログラムメモリ３１には、制御部１４を本発明の設定手段、制御手段、判定手段、録音制御手段と機能させるための制御プログラムが記憶されている。また、プログラムメモリ３１は本発明の制御情報記憶手段であって、プログラムメモリ３１には、録画用のベストショット機能を用いた録画に際して使用される録画用のシーンファイルも記憶されている。
【００３１】
図２は、上記録画用のシーンファイル１００を示したものである。シーンファイル１００は、従来の静止画用のベストショット機能と同様、予め想定される複数種の録画用のベストショットシーン（以下、単にＢＳシーンと呼ぶ。）毎に用意されている録画条件を示すデータにより構成されている。本実施の形態で用意されているＢＳシーンとしては、コンサート録画（ａ）、会議録画（ｂ）、風景録画（ｃ）等であり、各々のシーンファイル１００は、録音設定情報１０１と各種画像設定情報１０２とシーンＩＤ１０３から構成されている。
【００３２】
録音設定情報１０１は、前述した音声コーデック用レジスタ３３に設定されるパラメータであり、ビットレート目標値、サンプリングレート、デジタルフィルタ設定値、ステレオ効果設定値、追従時間設定値、最大増幅度設定値である。ここでフィルタ設定値は音声（音響）フィルタに関する設定値であり、具体的にはＭＩＣ２７に入力する低音域の風切り音を低減、若しくは取り除くためのハイパスフィルターである風切音フィルタの使用の有無を示すものである。ステレオ効果設定値はステレオ効果（強調）の使用の有無を示すものである。追従時間設定値は、入力音声の増幅に際して、録音レベルの変化をより自然に行うための設定値であり、具体的には図３に示した、増幅を開始するまでの時間であるホールドタイムＴ１と、ゲインを目標とするゲインまで漸進的に変化させる時間であるディケイタイムＴ２との合計時間Ｔ３であって、入力音声に対する最終的な増幅度合による増幅を完了するまでの時間である。なお、本実施の形態においてホールドタイムＴ１とディケイタイムＴ２との割合は１：１である。
【００３３】
そして、コンサート録画（ａ）に対応する録音設定情報１０１にあっては、音楽の録音を重視した設定が記述されている。すなわち音楽の録音では、なるべく高音質で、録音レベルが急に上下したりしないことが望ましい。そのため、特にビットレートが高め、サンプリング周波数が４４．１ＫＨｚ、追従時間設定が長めかつ、最大増幅度設定が低く設定されている。一方、会議録画（ｂ）に対応する録音設定情報１０１にあっては、なるべく遠くの人の声なども録音できた方が好ましいため、特に追従時間が短く、最大増幅度が高く設定されている。
【００３４】
また、図では省略したが、風景録画（ｃ）に対応する録音設定情報１０１にあっては、屋外での録音であるのでフィルターがＯＮに設定されており、ＢＳシーンによっては、録音設定情報１０１の前述した設定項目の一部のみが決められているものもある。一方、前記シーンファイル１００における各種画像設定情報（本発明の録画設定情報）１０２は、画像サイズやフレームレート、フォーカス、シャープネス等の設定値であり、前記シーンＩＤ１０３は、各シーンファイル１００が対応するシーンを示すシーン番号である。また、前記プログラムメモリ３１は本発明のシーン情報記憶手段であって、前記シーンファイル１００とは別に、図示したコンサート録画（ａ）、会議録画（ｂ）、風景録画（ｃ）といったＢＳシーン（特定の動画撮影対象）を表わす見本画像、「コンサートを録画します」等のシーン説明、「フォーカスがパンフォーカスに設定されます」等のアドバイス情報等のシーン情報が、前記シーンＩＤ１０３に対応して記憶されている。
【００３５】
なお、以上説明した録画用のシーンファイル１００については、プログラムメモリ３１以外にも、例えば画像記録部３５において撮影した静止画ファイルや動画ファイルを記録する前述した各種メモリカード等の他のメモリに記憶されていても構わない。また、前述した録音設定情報１０１と各種画像設定情報１０２は互いに対応付けが行われた状態（例えばシーンＩＤ１０３と一対にした状態）であれば異なる場所に記憶されていても構わない。
【００３６】
次に、以上の構成からなるデジタルカメラにおける本発明に係る動作を説明する。図４は、録画に際してユーザーによりベストショットモードが選択された時の制御部１４の処理手順を示すフローチャートである。
【００３７】
係るモードが設定されると、制御部１４は、まず従来の静止画用のベストショット機能と同様、前述したＢＳシーンを示す見本画像やシーン説明等からなる選択画面を画像表示部３６の液晶モニタに表示させ、これから撮影しようとするシーンに合致、または類似するＢＳシーンをユーザーに決定（指定）させる（ステップＳＡ１）。引き続き、決定されたＢＳシーンに対応するシーンファイル１００をプログラムメモリから読み込み（ステップＳＡ２）、そこに記述されている画像制御用の設定、すなわち画像サイズやフレームレート、フォーカス、シャープネス等の設定を行う（ステップＳＡ３）。これにより、ユーザーに指定されたＢＳシーンによって示される撮影環境での使用が想定された撮影モードに移行する。しかる後、シーンファイル１００に前述した音声録音制御用のパラメータが何も含まれていなければ（ステップＳＡ４でＮＯ）、そのまま録画待機状態となり、前述した音声制御用のパラメータが含まれている場合には（ステップＳＡ４でＹＥＳ）、そこに記述されている音声録音制御用の設定、すなわち音声コーデック用レジスタ３３にＢＳシーンに対応する音声パラメータを設定した後（ステップＳＡ５）、録画待機状態に移行する。
【００３８】
したがって、ユーザーが例えばコンサート等の様子を撮影（録画）する場合には、ＢＳシーンとしてコンサート録画（ａ）を選択することにより、高音質でかつ音量が急に上下するようなことのない、より適切な録音状態の音声付きの動画像を撮影して記録することができる。また、会議等の様子を撮影（録画）する場合には、ＢＳシーンとして会議録画（ｂ）を選択することにより、撮影者からの距離に関係なく遠くの人の発言であっても聞きやすい、より適切な録音状態の音声付きの動画像を撮影して記録することができる。つまり録画環境に適した音声録音をすることが可能となる。同時に、様々な音声制御用のパラメータの設定をＢＳシーンを選択するだけで行えるため、それらの設定内容を、例えばパラメータ毎にユーザーに設定、又は選択させる場合のような煩雑さがなく、かつ誰もが容易に設定することができる。
【００３９】
一方、図５は、前記デジタルカメラにおいて、ベストショットモードとは別に予め用意されている自動録音設定モードが設定された状態の録画モードにおける制御部１４の処理手順を示すフローチャートである。
【００４０】
係る場合、制御部１４は録画モードの設定に伴い、ＣＣＤ１６による撮像を開始して、スルー画像表示用の画像データを取得するとともに（ステップＳＢ１）、ＡＥ処理によって、撮像された画像データに基づき被写体等の撮影環境における明るさを判定する（ステップＳＢ２）。ここで、撮影環境が所定の基準よりも明るい環境下であると判定したときには（ステップＳＢ３でＹＥＳ）、撮影場所が室内であるとものとして、風切音フィルタを使用する旨の音声録音制御用の設定を行った後、つまり音声コーデック用レジスタ３３にフィルタ設定値として「ＯＮ」を設定した後（ステップＳＢ４）、録画待機状態に移行する。
【００４１】
一方、撮影環境が所定の基準よりも暗い環境下であると判定したときには（ステップＳＢ３でＮＯ）、さらにＡＷＢ処理によって、撮像された画像データに基づき光源の種別を判定する（ステップＳＢ５）。そして、判定した光源種別が太陽光でなければ（ステップＳＢ６でＮＯ）、係る場合も撮影場所が室内であるとものとして前述したステップＳＢ４へ進みフィルタ設定値として「ＯＮ」を設定する。逆に、光源種別が太陽光であったときには（ステップＳＢ６でＹＥＳ）、撮影場所が屋外であるとものとして、風切音フィルタを使用しない旨の音声録音制御用の設定を行った後、つまり音声コーデック用レジスタ３３にフィルタ設定値として「ＯＦＦ」を設定した後（ステップＳＢ７）、録画待機状態に移行する。
【００４２】
以上のように自動録音設定モードが設定されているときには、撮影場所が室内であるか、屋外であるかの違いによって風切音フィルターの使用の要否を自動的に設定される。したがって、屋外での録画である場合には、自動的に耳障りな風きり音を録音しないようにするとともに、室内での録画である場合には、自動的に音楽濱奏などにふさわしい低音を活かした録音が可能になる。つまり録画環境に適した音声録音をすることが可能となる。
【００４３】
なお、以上説明した本実施の形態においては、ユーザーによりベストショットモードでの録画に際しては、指定されたＢＳシーンに応じて音声録音制御用の設定だけでなく画像制御用の設定も行うようにしたが、音声録音制御用の設定のみを行う構成としてもよい。また、本実施の形態に示した音声録音制御用の設定項目や、具体的な設定値については適宜増減や変更が可能である。
【００４４】
また、本実施の形態とは別に、予め用意されているＢＳシーンに応じてた録音設定情報１０１を変更するためのモードを設けてもよい。その場合には、例えば指定されたＢＳシーンに対応する録音設定情報１０１を画像表示部３６の液晶モニタ上に一覧表示させ、キー操作によって設定項目毎に設定値の変更を行わせるとともに、変更後の録音設定情報１０１を更新したり、新たなＢＳシーンに対応するデータとして別途記憶させたりすればよい。但し、その場合、更新後の録音設定情報１０１等は、画像記録部３５において撮影した静止画ファイルや動画ファイルを記録する前述した各種メモリカード等に記録することとなる。
【００４５】
また、前述した自動録音設定モードでは、スルー画像用の画像に含まれる画像情報が被写体等の明るさ、及び光源種別であって、それを用いて撮影環境である撮影場所が室内か屋内かの別を判定することによって、風切音フィルタの使用の有無を自動設定する構成としたが、スルー画像用の画像に含まれる画像情報を用いて撮影場所以外の他の撮影環境を判定してもよい。また、その結果に応じて風切音フィルタの使用の有無以外の、音声録音制御用の制御を行うようにしてもよい。
【００４６】
また、本実施の形態では、動画用のベストショットモードと自動録音設定モードとの双方が設けられているデジタルカメラについて説明したが、いずれか一方のモードのみを設けるようにしてもよい。また、音声信号の圧縮、伸張等の各種処理の全てを制御部１４が行うものについて説明したが、制御部１４には、図４及び図５に示した処理のみを行わせ、それ以外の音声処理を行う音声処理部等を別途設けるようにしてもよい。
【００４７】
さらに、本発明を音声付きの動画撮影機能を備えた一般的なデジタルカメラに適用した場合について説明したが、これ以外にも本発明は、例えば携帯電話機等の他の機器に内蔵されている他のデジタルカメラに等にも適用することができる。
【図面の簡単な説明】
【００４８】
【図１】本発明に係るデジタルカメラのブロック図である。
【図２】動画撮影シーンに対応して用意されている音声設定情報の例を示す図である。
【図３】音声設定情報における追従時間設定値を示す図である。
【図４】動画撮影用のベストショットモードが選択された時の動画撮影時における制御部の処理手順を示すフローチャートである。
【図５】自動録音設定モードが設定された状態の録画モードにおける制御部の処理手順を示すフローチャートである。
【符号の説明】
【００４９】
１４    制御部
１５    ＣＣＤ撮像系ブロック
１６    ＣＣＤ
２０    ＪＰＥＧ／ＭＰＥＧ部
２１    音声入力ブロック
２７    ＭＩＣ
２８    スピーカ
３１    プログラムメモリ
３２    内蔵メモリ
３３    音声コーデック用レジスタ
２７    ＭＩＣ
３３    音声コーデック用レジスタ
１００    シーンファイル
１０１    録音設定情報
Ｔ１    ホールドタイム
Ｔ２    ディケイタイム
Ｔ３    合計時間（追従時間）
【図１】
2006217111.tif 000003
【図２】
2006217111.tif 000004
【図３】
2006217111.tif 000005
【図４】
2006217111.tif 000006
【図５】
2006217111.tif 000007